【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
放送される番組を記録して、ユーザの好みに合う番組を蓄積するための放送自動記録方法であって、
記録した前記番組の再生の状況を示す再生状況情報をサーバに通知するステップと、
各ユーザから通知された前記再生状況情報を前記サーバで集計し、前記番組が前記ユーザの好みにどれだけ合うかを推定した優先度を算出するステップと、
前記優先度を前記ユーザに通知するステップと、
記録した前記番組を削除する場合に、前記優先度の低い前記番組から先に削除するステップを有する放送自動記録方法。
【請求項２】
放送される番組を記録して、ユーザの好みに合う番組を蓄積するための放送自動記録方法であって、
記録した前記番組の再生の状況を示す再生状況情報をサーバに通知するステップと、
各ユーザから通知された前記再生状況情報を前記サーバで集計し、前記番組が前記ユーザの好みにどれだけ合うかを推定した優先度を算出するステップと、
前記優先度を前記サーバより各ユーザに通知するステップと、
新たな番組を記録するためには過去に記録した前記番組を削除する必要が有る状況において、新たな前記番組に与えられた所定の優先度と、過去に記録した前記番組の優先度とを比較するステップと、
過去に記録した前記番組の中に、新たな前記番組よりも優先度の低い番組があれば、新たな前記番組よりも優先度の低い前記番組を削除して新たな前記番組を記録するステップと、
過去に記録した前記番組の中に、新たな前記番組よりも優先度の低い番組がなければ、新たな前記番組の記録を取りやめるステップを有する放送自動記録方法。
【請求項３】
鑑賞履歴の似たユーザが属するグループの各ユーザの番組に対する行動を、サーバを介して、同一の前記グループに属する複数の前記ユーザ間で互いに利用し合い、各ユーザにて、記録することを予約する番組を選択する自動記録予約において、前記ユーザの好みに合う番組を蓄積するための放送自動記録方法であって、
記録した前記番組の再生の状況を示す再生状況情報をサーバに通知するステップと、
各ユーザから通知された前記再生状況情報を前記サーバで前記グループ毎に集計し、前記番組が前記ユーザの好みにどれだけ合うかを推定した優先度を前記グループ毎に算出するステップと、
前記優先度を前記サーバより前記グループに属する各ユーザに通知するステップと、
記録した前記番組を削除する場合に、前記優先度の低い前記番組から先に削除するステップを有する放送自動記録方法。
【請求項４】
鑑賞履歴の似たユーザが属するグループの各ユーザの番組に対する行動を、サーバを介して、同一の前記グループに属する複数の前記ユーザ間で互いに利用し合い、各ユーザにて、記録することを予約する番組を選択する自動記録予約において、前記ユーザの好みに合う番組を蓄積するための放送自動記録方法であって、
記録した前記番組の再生の状況を示す再生状況情報をサーバに通知するステップと、
各ユーザから通知された前記再生状況情報を前記サーバで前記グループ毎に集計し、前記番組が前記ユーザの好みにどれだけ合うかを推定した優先度を前記グループ毎に算出するステップと、
前記優先度を前記サーバより前記グループに属する各ユーザに通知するステップと、
新たな番組を記録するためには過去に記録した前記番組を削除する必要が有る状況において、新たな前記番組に与えられた所定の優先度と、過去に記録した前記番組の優先度とを比較するステップと、
過去に記録した前記番組の中に、新たな前記番組よりも優先度の低い番組があれば、新たな前記番組よりも優先度の低い前記番組を削除して新たな前記番組を記録するステップと、
過去に記録した前記番組の中に、新たな前記番組よりも優先度の低い番組がなければ、新たな前記番組の記録を取りやめるステップを有する放送自動記録方法。
【請求項５】
前記再生状況情報は、記録した前記番組が最後まで再生されたか否かの情報を含む、請求項１から４のいずれか１項に記載の放送自動記録方法。
【請求項６】
前記再生状況情報は、記録した前記番組が削除されたか否かの情報を含む、請求項１から４のいずれか１項に記載の放送自動記録方法。
【請求項７】
放送される番組を記録して、ユーザの好みに合う番組を蓄積する放送自動記録装置であって、
記録した前記番組の再生の状況を示す再生状況情報をサーバに通知し、記録した前記番組を削除する場合に、前記サーバより通知された、前記番組が前記ユーザの好みにどれだけ合うかを推定した優先度の低い前記番組から先に削除する記録・再生処理部と、
各ユーザから通知された前記再生状況情報を集計した前記サーバより、前記優先度の通知を受ける情報入手部を有する放送自動記録装置。
【請求項８】
放送される番組を記録して、ユーザの好みに合う番組を蓄積する放送自動記録装置であって、
記録した前記番組の再生の状況を示す再生状況情報をサーバに通知し、新たな番組を記録するためには過去に記録した前記番組を削除する必要が有る状況において、新たな前記番組に与えられた所定の優先度と、前記サーバより通知された、過去に記録した前記番組が前記ユーザの好みにどれだけ合うかを推定した優先度とを比較し、過去に記録した前記番組の中に、新たな前記番組よりも優先度の低い番組があれば、新たな前記番組よりも優先度の低い前記番組を削除して新たな前記番組を記録し、過去に記録した前記番組の中に、新たな前記番組よりも優先度の低い番組がなければ、新たな前記番組を記録しない記録・再生処理部と、
各ユーザから通知された前記再生状況情報を集計した前記サーバより、前記優先度の通知を受ける情報入手部を有する放送自動記録装置。
【請求項９】
前記再生状況情報は、記録した前記番組が最後まで再生されたか否かの情報を含む、請求項７または８に記載の放送自動記録装置。
【請求項１０】
前記再生状況情報は、記録した前記番組が削除されたか否かの情報を含む、請求項７または８に記載の放送自動記録装置。
【請求項１１】
好みに合う番組を選択するための情報をコンピュータからユーザに提供するためのプログラムであって、
記録した前記番組の再生の状況を示す再生状況情報を、複数の前記ユーザより受信する手順と、
各ユーザから通知された前記再生状況情報を集計し、前記番組が前記ユーザの好みにどれだけ合うかを推定した優先度を算出する手順と、
前記優先度を前記ユーザに通知する手順を、コンピュータに実行させるためのプログラム。
【請求項１２】
鑑賞履歴の似たユーザが属するグループの各ユーザの番組に対する行動を、同一の前記グループに属する複数の前記ユーザ間で互いに利用し合い、各ユーザにて、記録することを予約する番組を選択する放送自動記録システムにおいて、好みに合う番組を選択するための情報をコンピュータからユーザに提供するためのプログラムであって、
記録した前記番組の再生の状況を示す再生状況情報を、複数の前記ユーザより受信する手順と、
各ユーザから通知された前記再生状況情報を前記グループ毎に集計し、前記番組が前記ユーザの好みにどれだけ合うかを推定した優先度を前記グループ毎に算出する手順と、
前記優先度を前記グループに属する各ユーザに通知する手順を、コンピュータに実行させるためのプログラム。
【請求項１３】
前記再生状況情報は、記録した前記番組が最後まで再生されたか否かの情報を含む、請求項１１または１２に記載のプログラム。
【請求項１４】
前記再生状況情報は、記録した前記番組が削除されたか否かの情報を含む、請求項１１または１２に記載のプログラム。
【請求項１５】
記録した番組を再生したときに、少なくとも該番組を識別するための番組識別子と該番組が最後まで再生されたか否かを示す再生結果とを含む再生履歴情報をサーバに通知する再生履歴通知部と、
記録した各番組について、最後まで再生された割合を示す優先度を前記サーバから受信する優先度受信部と、
前記優先度の低い前記番組を優先的に削除する削除部とを有することを特徴とする、放送自動記録装置。
【手続補正２】
【補正対象書類名】明細書
【補正対象項目名】発明の名称
【補正方法】変更
【補正の内容】
【発明の名称】放送自動記録方法、装置、およびプログラム